(57)【要約】【課題】  電線から放射される電磁ノイズを低コストに遮蔽する。【解決手段】  感光体１０３に光を照射するスキャナユニット７と、スキャナユニット７を支持する電気的に接地された導電性のステー２と、信号を伝送する電線６と、を有する画像形成装置において、スキャナユニット７とステー２とで電線６の位置を規制し、スキャナユニット７とステー２との間に挟まれた空間に電線６が配置されている。【選択図】  図４
2015045841.tif 000002
【特許請求の範囲】
【請求項１】
感光体に光を照射する光照射ユニットと、前記光照射ユニットを支持する電気的に接地された導電性の支持部材と、信号を伝送する電線と、を有する画像形成装置において、
前記光照射ユニットと前記支持部材とで前記電線の位置を規制し、前記光照射ユニットと前記支持部材との間に挟まれた空間に前記電線が配置されていることを特徴とする画像形成装置。
【請求項２】
前記支持部材は、前記支持部材の本体に対して凹んだ溝部を備え、前記光照射ユニットで前記溝部を塞ぎ、前記光照射ユニットと前記溝部との間に挟まれた空間に前記電線を配置することを特徴とする請求項１に記載の画像形成装置。
【請求項３】
前記支持部材は、前記支持部材の本体から突出した壁部を備え、前記光照射ユニットを前記壁部に対向して配置し、前記光照射ユニットと前記壁部との間に挟まれた空間に前記電線を配置することを特徴とする請求項１に記載の画像形成装置。
【請求項４】
前記支持部材は板状の金属部材であり、前記溝部は絞り加工で形成されていることを特徴とする請求項２に記載の画像形成装置。
【請求項５】
前記支持部材は板状の金属部材であり、前記壁部は折り曲げ加工で形成されていることを特徴とする請求項３に記載の画像形成装置。
【請求項６】
前記光照射ユニットの前記電線と対向する部分は電気的に接地された導電性の部分であることを特徴とする請求項１乃至５のいずれか一項に記載の画像形成装置。
【請求項７】
前記支持部材を挟んで対向する２つの側板を有し、前記２つの側板によって前記支持部材は支持され、前記電線は前記２つの側板のうちの一方に支持された部材と他方に支持された部材とを接続することを特徴とする請求項１乃至６のいずれか一項に記載の画像形成装置。
【請求項８】
前記感光体にトナー像を形成し、前記トナー像を記録材上に定着させることにより画像形成を行い、記録材を搬送する搬送手段を駆動する駆動部と、前記駆動部を制御して前記搬送手段の動作を制御する制御手段と、を有し、前記電線により前記制御手段と前記駆動部との間で信号を伝送することを特徴とする請求項１乃至７のいずれか一項に記載の画像形成装置。
【請求項９】
前記感光体にトナー像を形成し、前記トナー像を記録材上に定着させることにより画像形成を行い、記録材を検知する検知手段と、前記検知手段の出力に基づき画像形成動作を制御する制御手段と、を有し、前記電線により前記検知手段からの出力が前記制御手段へ伝送されることを特徴とする請求項１乃至７のいずれか一項に記載の画像形成装置。
【請求項１０】
感光体に光を照射する光照射ユニットと、前記光照射ユニットを支持する支持部材と、信号を伝送する電線と、を有する画像形成装置において、
前記支持部材は、前記支持部材の本体に対して凹んだ溝部を備え、前記光照射ユニットと前記支持部材の前記溝部とで前記電線の位置を規制し、前記光照射ユニットで前記溝部を塞ぎ、前記光照射ユニットと前記溝部との間に挟まれた空間に前記電線が配置されていることを特徴とする画像形成装置。
【請求項１１】
前記支持部材は板状の金属部材であり、前記溝部は絞り加工で形成されていることを特徴とする請求項１０に記載の画像形成装置。
【請求項１２】
感光体に光を照射する光照射ユニットと、対向する２つの側板と、前記２つの側板に支持され、前記光照射ユニットを支持する支持部材と、前記２つの側板のうちの一方に支持された部材と他方に支持された部材とを接続し、信号を伝送する電線と、を有する画像形成装置において、
前記光照射ユニットと前記支持部材とで前記電線の位置を規制し、前記光照射ユニットと前記支持部材との間に挟まれた空間に前記電線が配置されていることを特徴とする画像形成装置。
【請求項１３】
前記感光体にトナー像を形成し、前記トナー像を記録材上に定着させることにより画像形成を行い、記録材を搬送する搬送手段を駆動する駆動部と、前記駆動部を制御して前記搬送手段の動作を制御する制御手段と、を有し、前記電線により前記制御手段と前記駆動部との間で信号を伝送することを特徴とする請求項１２に記載の画像形成装置。
【請求項１４】
前記感光体にトナー像を形成し、前記トナー像を記録材上に定着させることにより画像形成を行い、記録材を検知する検知手段と、前記検知手段の出力に基づき画像形成動作を制御する制御手段と、を有し、前記電線により前記検知手段からの出力が前記制御手段へ伝送されることを特徴とする請求項１２に記載の画像形成装置。
【請求項１５】
筐体を有し、感光体に光を出射する光照射ユニットと、前記光照射ユニットを支持する電気的に接地され導電性の支持部材と、信号を伝送する電線と、を有する画像形成装置において、
前記筐体は、前記電線と当接して前記電線を前記支持部材に当接させる複数の当接部を有することを特徴とする画像形成装置。
【請求項１６】
前記当接部は前記筐体から突出した突出部であることを特徴とする請求項１５に記載の画像形成装置。
【請求項１７】
前記当接部は弾性部材であることを特徴とする請求項１５に記載の画像形成装置。
【請求項１８】
前記電線の前記光照射ユニットと前記支持部材との間に位置する部分の略全域が前記支持部材と当接していることを特徴とする請求項１５に記載の画像形成装置。
【請求項１９】
前記電線の一端は前記光照射ユニットに接続されていることを特徴とする請求項１５乃至１８のいずれか一項に記載の画像形成装置。
【請求項２０】
筐体を有し、感光体に光を出射する光照射ユニットと、前記光照射ユニットを支持する電気的に接地され導電性の支持部材と、信号を伝送する電線と、を有する画像形成装置において、
前記筐体は、前記電線と当接して前記電線を前記支持部材に当接させる当接部を有し、前記当接部は、前記電線の前記光照射ユニットと前記支持部材との間に位置する部分の略全域と当接していることを特徴とする画像形成装置。
【請求項２１】
前記当接部は前記筐体から突出した突出部であることを特徴とする請求項２０に記載の画像形成装置。
【請求項２２】
前記当接部は弾性部材であることを特徴とする請求項２０に記載の画像形成装置。
【請求項２３】
前記電線の前記光照射ユニットと前記支持部材との間に位置する部分の略全域が前記支持部材と当接していることを特徴とする請求項２０に記載の画像形成装置。
【請求項２４】
前記電線の一端は前記光照射ユニットに接続されていることを特徴とする請求項２０乃至２３のいずれか一項に記載の画像形成装置。
【請求項２５】
筐体を有し、感光体に光を出射する光照射ユニットと、前記光照射ユニットを支持する電気的に接地され導電性の支持部材と、信号を伝送するシート状の電線と、を有する画像形成装置において、
前記筐体は貫通穴を備え、前記電線は前記貫通穴に対向する位置に配置されていることを特徴とする画像形成装置。
【請求項２６】
前記電線の前記光照射ユニットと前記支持部材との間に配置された部分に、前記電線が折り曲げられた部分が設けられていることを特徴とする請求項２５に記載の画像形成装置。
【発明の詳細な説明】
【技術分野】
【０００１】
本発明は転写方式の電子写真プロセスによって画像形成を行う複写機、プリンタ等の画像形成装置の配線に関するものである。
【背景技術】
【０００２】
画像形成装置は、画像形成中に信号としての電流が装置を流れた際、その電流によって電磁波が発生する。その電磁波が装置本体外に放射されて、電磁ノイズとならないよう種々の対策が講じられている。装置内のあるユニットから他のユニットへ信号を伝送する為の電線が電磁ノイズ源となる場合がある。特許文献１には、電線を凹形状の導電性弾性部材の内側に配置することにより電磁波を遮蔽（シールド）する構成が開示されている。
【先行技術文献】
【特許文献】
【０００３】
【特許文献１】特開平９−３２１９２５
【発明の概要】
【発明が解決しようとする課題】
【０００４】
しかしながら、特許文献１では電線の周りを覆う専用の凹形状の導電性弾性部材を用いるため、その部材自体やそれを取り付ける作業工程の増加によりコストがアップする虞がある。そこで本発明は、上記の課題を鑑みて、電線から放射される電磁ノイズを低コストに遮蔽することを目的とする。
【課題を解決するための手段】
【０００５】
そこで本発明は、感光体に光を照射する光照射ユニットと、前記光照射ユニットを支持する電気的に接地された導電性の支持部材と、信号を伝送する電線と、を有する画像形成装置において、前記光照射ユニットと前記支持部材とで前記電線の位置を規制し、前記光照射ユニットと前記支持部材との間に挟まれた空間に前記電線が配置されていることを特徴とする。
【発明の効果】
【０００６】
本発明によれば、電線から放射される電磁ノイズを低コストに遮蔽することができる。
【図面の簡単な説明】
【０００７】
【図１】画像形成装置内の一部の斜視図
【図２】画像形成装置の概略断面図
【図３】画像形成装置の制御構成を示すブロック図
【図４】Ａ−Ａ´断面図
【図５】スキャナユニットとステーと電線との関係を示す断面図
【図６】スキャナユニットとステーと電線との関係を示す断面図
【図７】（ａ）スキャナユニットとステーと電線との関係を示す断面図、（ｂ）スキャナユニットとステーと電線との関係を示す上視図
【図８】（ａ）スキャナユニットとステーと電線との関係を示す上視図、（ｂ）スキャナユニットとステーと電線との関係を示す上視図
【図９】スキャナユニットを示す斜視図
【図１０】画像形成装置内の一部の斜視図
【図１１】スキャナユニットを示す斜視図
【図１２】画像形成装置のスキャナユニットの付近の概略断面図
【図１３】スキャナユニットの下面斜視図
【図１４】画像形成装置のスキャナユニットの付近の概略断面図
【図１５】画像形成装置のスキャナユニットの下面付近の概略断面図
【図１６】スキャナユニットの下面斜視図
【図１７】スキャナユニットの下面斜視図
【図１８】図１７のＥ１部、Ｅ２部の拡大図
【発明を実施するための形態】
【０００８】
＜第１実施形態＞
以下、本発明の第１実施形態について説明する。
【０００９】
［画像形成装置］
図２は、電子写真記録方式の画像形成装置１００の概略断面図である。ＰＣ等の装置外部ホスト装置Ｈ（図３参照）からプリント指示を受けると、以下に示す画像形成動作を行う。
【００１０】
まず、光照射ユニットとしてのスキャナユニット７が画像情報に応じて変調されたレーザ光を、帯電ローラ１０２により帯電された感光体１０３に照射し走査する。これにより感光体１０３には画像データに応じた静電潜像が形成される。この感光体１０３上の静電潜像に対して現像器１０４からトナーが供給されて感光体１０３上に付着し、感光体１０３上に画像情報に応じたトナー像が形成される。
【００１１】
一方、給紙カセット１０５に収納された記録材Ｐはピックアップローラ１０６によって一枚ずつ給紙され、ローラ１０７によってレジストローラ１０８に向けて搬送される。さらに記録材Ｐは、感光体１０３上のトナー画像が感光体１０３と転写ローラ１０９で形成される転写ニップに到達するタイミングに合わせて、レジストローラ１０８から搬送される。記録材Ｐが転写ニップを通過する過程で感光体１０３上のトナー像は記録材Ｐ上に転写される。その後、記録材Ｐは定着器１１０で加熱されてトナー像が記録材Ｐに加熱及び加圧されて定着される。定着後の記録材Ｐは、ローラ１１１、１１２によってプリンタ上部の排紙トレイ１１３に排出される。このような画像形成動作によって記録材Ｐ上に画像を形成する。
【００１２】
なお、感光体１０３に残留したトナーはクリーナ１１４によって感光体１０３上から除去される。また、記録材Ｐの搬送路中の所定の位置には、搬送センサ１１５、１１６、１１７、１１８がそれぞれ設けられ、各センサ位置での記録材）の有無を検知する。上述した画像形成装置１００による画像形成動作の制御は制御基板４に設けられた、電気回路及び不図示のＣＰＵ（演算部）により行う。ＣＰＵには記録材Ｐの搬送状態を検知するために、センサ１１５、１１６、１１７、１１８からの出力信号が入力されている。ＣＰＵはセンサ１１５、１１６、１１７、１１８からの出力信号を用いて、画像形成に関わる駆動源の制御、画像形成に関する制御、更には故障検知に関する制御など、本体の動作を一括して制御している。また、画像処理基板１０は、ＰＣ等のホスト装置（図３参照）からプリント指示及び画像データを受け取り、画像データをスキャナユニット７が発光するためのビデオ信号に変換する。
【００１３】
［スキャナユニット］
図９はスキャナユニット７を上側から見た斜視図である。図９を用いてスキャナユニット７を説明する。ビデオ信号に基づく画像情報をレーザ基板７０２が受信すると、レーザ基板７０２と電気的に接続されたレーザ７０３からレーザビームＢ１が出射する。出射したレーザビームＢ１は、シリンドリカルレンズ７０６によって副走査方向のみ集光され、黒色樹脂等から成る光学箱７０７に形成された光学絞り７１１によって所定のビーム径に制限され、ポリゴンミラー７０５の反射面７１２に主走査方向に長い線状に集光される。ポリゴンミラー７０５は、スキャナモータ７０４によって回転駆動され、入射したレーザビームＢ１を偏向する。偏向されたレーザビームＢ２は、ｆθレンズ７０９を通過し、長尺の折返しミラー７１０で反射後、感光体１０３上に集光、走査され、静電潜像を形成する。光学箱７０７の上部開口は、樹脂等や板金等から成る光学蓋７０８によって略閉塞される。光学箱７０７と光学蓋７０８とでスキャナユニット７の筐体を構成している。
【００１４】
［画像形成動作の制御］
次に、制御基板４によって画像形成動作を制御する構成について説明する。図３は制御基板４による画像形成装置１００の制御構成を示すブロック図である。
【００１５】
図示の様に、ピックアップローラ１０６、搬送ローラ１０７、レジストローラ１０８、転写ローラ１０９はモータ２０１からギアを介して駆動力を得ている。同様に定着器１１０、ローラ１１１、１１２はモータ２０２から駆動力を得ている。つまり、モータ２０１及びモータ２０２は記録材Ｐを搬送する搬送手段（各ローラ）を駆動する駆動部である。モータ２０１及びモータ２０２は制御基板４から出力される制御信号によって制御され動作する。搬送センサ１１５〜１１８は、それぞれフォトインタラプタと遮光フラグを備えた光学センサであり、制御基板４から電源を供給されて動作し、検出結果を制御基板４に出力する。画像処理基板１０はホスト装置Ｈから受けたプリント指示信号を制御基板４へ出力し、制御基板４から出力される画像形成装置１０の状態等の情報に関わる信号を受信する。制御基板４とは別のＣＰＵ（演算部）、及び、電気回路を備える基板である。
【００１６】
モータ２０１、２０２、センサ１１５〜１１８、画像処理基板１０はいずれも信号を伝送するための電線６で制御基板４とコネクタ５を介して接続される。本実施形態では、制御基板４と制御基板４に電気的に接続される部材（モータ２０１、２０２、センサ１１５〜１１８、画像処理基板１０）との間にそれぞれ信号線が少なくとも一本設けられ、これらのそれぞれを電線６と称している。なお、電線６は物理的な信号線１本だけに限定されるものではなく、差動信号線のように互いに対応する複数の物理的な信号線も電線６である。
【００１７】
以降は、簡単のため、制御基板４と制御基板４に電気的に接続されるスキャナユニット７とは別の部材とを繋ぐ電線を単に電線６として説明する。
【００１８】
また、電線６とは別に、スキャナユニット７のレーザ基板７０２やスキャナモータ７０４に一端が接続された電線を電線６０とする。電線６０は、制御基板４と、スキャナユニット７のレーザ基板７０２やスキャナモータ７０４と、を繋ぐ。制御基板４は、電線６を介して画像処理部１０から送られてきたビデオ信号を、電線６０を介してレーザ基板７０２へ送信する。また、制御基板４は、レーザビームＢ１の光量設定を行うための信号を、電線６０を介してレーザ基板７０２へ送信する。また、レーザ基板７０２は水平同期信号を電線６０を介して制御基板４へ送信する。また制御基板４は、スキャナモータ７０４を駆動する信号を電線６０を介してスキャナモータ７０４へ送信する。以降は、簡単のため、制御基板４とスキャナユニット７の一部とを繋ぐ電線を電線６０として説明する。
【００１９】
［電線の配置］
図１は画像形成装置１００内の一部の斜視図である。まず画像形成装置１００内の枠体構成について説明する。画像形成装置１００は、内部に装置の枠体（フレーム）を構成する部材として、主に、２つの側板１ａ、１ｂ、及び、スキャナユニット７を支持する支持部材であるステー２を備える。これら側板１ａ、１ｂ、ステー２は、板状の導電性の金属部材であり、画像形成装置１００へ電力を供給する不図示の外部商用電源のアースに電気的に接続されている。側板１ａ、１ｂは感光体１０３の軸部材と直交する面を備え、ステー２を挟んで対向して配置される。ステー２は一方の端部が側板１ａに、他方の端部が側板１ｂに、それぞれ金属のビスで締結され固定、及び、支持されており、側板１ａ、１ｂと同様に電気的に接地された状態となっている。側板１ａ、１ｂ、ステー２はそれぞれ、上述した画像形成動作を行う部材を支持し、位置決めする。具体的には側板１ａは制御基板４を支持し、側板１ｂはモータ２０１、２０２、センサ１１５、１１６、１１７、１１８、画像処理基板１０（図３参照）をそれぞれ支持する。ステー２はスキャナユニット７を支持する。
【００２０】
次に電線６による各部分の接続について説明する。制御基板４は電線６のコネクタ接続部５ａが接続されるコネクタ部５ｂが設けられている。側板１ａに支持された制御基板４と、側板１ｂに支持された部材（モータ２０１、２０２、センサ１１５、１１６、１１７、１１８、画像処理基板１０）とを電線６によって接続する。このため、側板１ａ、１ｂには電線６を通すための穴３ａ、３ｂがそれぞれ設けられている。また、側板１ａ、１ｂの間にあるステー２には溝部４０１が設けられ、電線６のうちステー２上にある部分は、この溝部４０１内に配置される。溝部４０１はステー２を絞り加工することにより設けられている。溝部４０１の形状は、その内側（ステー２の溝部４０１でない部分に対して凹んだ部分）に電線６が収まる形状であれば、その形状は限定されない。また、溝部４０１は絞り加工以外の方法により形成されたものであってもよい。また、スキャナユニット７の上面部７ａは導電性の板金部材であり、ステー２と同様に電気的に接地されている。
【００２１】
図４は図１のＡ−Ａ´における断面図であり、その断面は側板１ａ、１ｂに平行な断面（感光体１０３の回転軸に直交する面）でもある。なお、このような断面図に関して、スキャナユニット７の内部については簡単のため図示を省略している。この図に示すように溝部４０１上にはスキャナユニット７が配置され、電線６はスキャナユニット７と溝部４０１との間に挟まれた空間に配置され、溝部４０１とスキャナユニット７の底面部７ｂによってその位置を規制された状態となっている。
【００２２】
このように電線６をスキャナユニット７とステー２の溝部４０１との間に挟まれた空間に配置する構成によれば、電線６は電気的に接地された導電性の部材であるステー２に近傍で囲まれて配置される。つまり、専用の部材を追加せずにステー２とスキャナユニット７を用いることにより、電線６の位置を電線６から放射される電磁ノイズを効果的に遮蔽可能な位置に規制することができる。電磁ノイズを効果的に遮蔽可能な電線６の位置とは、電線６が電気的に接地された導電性部材に囲まれる位置である。
【００２３】
また、電線６を電気的に接地された導電性の部材であるステー２に近づけると、以下のような理由からも電磁ノイズを低減することができる。一つは電線６を用いた信号伝送における特性インピーダンスが小さくなるからである。特性インピーダンスとは√（Ｌ／Ｃ）（Ｌ：誘導成分、Ｃ：容量成分）で表される。電線６を電気的に接地された導電性の部材であるステー２に近づけると、容量成分Ｃが大きくなり、電線６で伝送される信号の波形が平滑され、電磁ノイズが低減される。もう一つは、電線６を用いた信号伝送において、受信側から送信側へ戻る信号の成分に関して、電気的に接地された導電性の部材であるステー２に近い程ステー２を介して戻る成分が増える為、逆に空気中を伝搬して戻る成分が減るからである。なお、制御基板４や画像処理基板は側板１ａ、１ｂ、ステー２を介してアースに電気的に接続されている。
【００２４】
なお、このような溝部４０１をステー２に設けたことにより、電磁ノイズを低減する以外にも、ステー２の強度を上げることが可能となる。
【００２５】
なお、側板１ａ、１ｂ、ステー２、スキャナユニット７の上面部７ａは金属以外の電気的に接地された導電性の部材であれば良い。また、ステー２による電磁ノイズの遮蔽効果が十分、もしくは、電磁ノイズの発生量が小さければ、スキャナユニット７の上面部７ａは電気的に接地された導電性部材でなくてもよい。また、スキャナユニット７を電気的に接地された導電性の部材にする場合は、電気的に接地された導電性の部材は上面部７ａではなく底面部７ｂでもよい。
【００２６】
また、ステー２とスキャナユニット７とで電線６を完全に囲んでいる必要は無い。例えば、図６の断面図に示すようにステー２の溝部４０１周囲の部分とスキャナユニット７の底面部７ｂとの間に隙間に距離ｔ１があってもよい。隙間の距離ｔ１が電線６の幅（直径）ｔ２より短ければ、確実に溝部４０１に電線６を留めておくことができるのでより好ましい。
【００２７】
また、電線６は束線でも、シート状の電線（フレキシブルフラットケーブル）でもよい。また、電線６は、必ずしも制御基板とモータ２０１、２０２、センサ１１５〜１１８、画像処理基板１０とを接続するものでなくてもよく、スキャナユニット７を支持するステー２上に配置される電線であれば、本実施形態と同様の構成を適用可能である。
【００２８】
＜第２実施形態＞
次に第２実施形態について説明する。第１実施形態と同様の部分には同様の符号を付して説明は省略する。本実施形態が第１実施形態と異なるのは、電線６の囲む構成が異なる点である。このため、電線６を囲む構成を説明する。図５は、図４と同様の断面図であり、側板１ａ、１ｂに平行な断面における断面図である。
【００２９】
ステー２には、ステー２の本体部分から曲げ起こされた曲げ部５０１が形成されている。曲げ部５０１は断面が「コの字」（アルファベットでは「Ｃの字」）となるように折り曲げて形成されている。曲げ部５０１は、ステー２の本体部から曲げ起こされることによってステー２の本体部から突出した壁部５０１ａを含む構造である。
【００３０】
また、ステー２によって囲まれていない部分には、スキャナユニット７の側面部７ｃが対向している。側面部７ｃは電気的に接地された導電性の部材でできている。この曲げ部５０１とスキャナユニット７の側面部７ｃとで囲まれた（挟まれた）空間に電線６を配置することで、第１実施形態と同様の効果を得ることができる。つまり、専用の部材を追加せずにステー２とスキャナユニット７を用いることにより、電線６の位置を電線６から放射される電磁ノイズを効果的に遮蔽可能な位置に規制することができる。電磁ノイズを効果的に遮蔽可能な電線６の位置とは、電線６が電気的に接地された導電性部材に囲まれる位置である。また、このような曲げ部５０１をステー２に設けたことにより、ステー２の強度を上げることが可能となる。
【００３１】
なお、側板１ａ、１ｂ、ステー２、スキャナユニット７の側面部７ｃは金属以外の電気的に接地された導電性部材であれば良い。また、ステー２による電磁ノイズの遮蔽効果が十分であれば、スキャナユニット７の側面部７ｃは電気的に接地された導電性部材でなくてもよい。
【００３２】
また、本実施形態では、ステー２とスキャナユニット７とで電線６を完全に囲んでおらず、ステー２とスキャナユニット７との間に隙間がある。この隙間の幅は電線６の幅よりも小さい方が好ましい。
【００３３】
また、本実施形態の変形例として、以下のような構成であってもよい。
【００３４】
まず変形例１について説明する。図７（ａ）は、変形例１を示す、図５と同様の断面図であり、側板１ａ、１ｂに平行な断面における断面図である。図７（ｂ）は、変形例１をスキャナユニットの上面側から見た図である。Ｘ方向は感光体１０３の回転軸方向であり、図７（ａ）で示した断面に直交する方向である。変形例１では、ステー２の曲げ部５０２は電線６の上側は覆わない。その代わりに、スキャナユニット７の側面部７ｃから突出した突出部７０１により、電線６の上側を覆う構成となっている。この時、側面部７ｃ及び突出部７０１は、電気的に接地された導電性部材である。このような構成でも上述した図５の構成と同様の電磁ノイズ遮蔽効果を得ることができる。なお、曲げ部５０２は、曲げ部５０１の壁部５０１ａと同等のものである。
【００３５】
次に変形例２について説明する。図８（ａ）は変形例２をスキャナユニットの上面側から見た図である。Ｘ方向は感光体１０３の回転軸方向である。変形例２は、変形例１と同様にスキャナユニット７の側面部７ｃから突出した突出部７０１で電線６の上側を覆う構成である。しかし、変形例２の突出部７０１は、Ｘ方向に関してスキャナユニット７の長さ分全てに設けられておらず、一部にのみ設けられている（図８（ａ）では２箇所）。突出部７０１が設けられていない箇所には、電線６の上側を覆う曲げ部５０１が設けられている。このような構成でも上述した図５の構成と同様の電磁ノイズ遮蔽効果を得ることができる。
【００３６】
次に変形例３について説明する。図８（ｂ）は変形例３をスキャナユニットの上面側から見た図である。Ｘ方向は感光体１０３の回転軸方向である。変形例３は、変形例１と同様にスキャナユニット７の側面部７ｃから突出した突出部７０１により、電線６の上側を覆う構成である。しかし、変形例３の突出部７０１は、Ｘ方向に関してスキャナユニット７の長さ分全てに設けられておらず、一部にのみ設けられている（図８（ｂ）では２箇所）。ステー２やスキャナユニット７の側面部７ｃによる電磁ノイズの遮蔽効果が十分、もしくは、電磁ノイズの発生量が小さければ、電線６の上側を覆わない構成も可能である。この場合、Ｘ方向に関してスキャナユニット７の一部に設けた突出部７０１は、単に電線６の位置を規制する規制部として機能する。
【００３７】
ここで、画像形成装置１００の組立時に、スキャナユニット７をステー２に取り付けた後に電線６を配置する場合、突出部７０１と曲げ部５０２との間の間隙Ｇに電線６を通す必要がある。変形例３では、間隙Ｇの幅は電線６の太さよりも僅かに小さくなっているが、突出部７０１は弾性変形しやすい形状である。間隙Ｇに電線６を通す際は、突出部７０１を弾性変形させて一時的に間隙Ｇの幅を電線６の太さよりも大きくすることで、電線６に間隙Ｇを通過させることが可能となる。このように変形例３では、図５の構成と同様の電磁ノイズ遮蔽効果を得つつ、組み立て性を向上させることができる。
【００３８】
＜第３実施形態＞
次に第３実施形態について説明する。先述の実施形態と同様の部分には同様の符号を付して説明は省略する。
【００３９】
［電線の配置］
図１０は画像形成装置１００内部の一部の斜視図である。まず画像形成装置１００内の枠体構成について説明する。画像形成装置１００は、内部に装置の枠体（フレーム）を構成する部材として、主に、２つの側板１ａ、１ｂ、及び、スキャナユニット７を支持する支持部材であるステー２を備える。これら側板１ａ、１ｂ、ステー２は、板状の導電性の金属部材であり、画像形成装置１００へ電力を供給する不図示の外部商用電源のアースに電気的に接続されている。側板１ａ、１ｂは感光体１０３の軸部材と直交する面を備え、ステー２を挟んで対向して配置される。ステー２は一方の端部が側板１ａに、他方の端部が側板１ｂに、それぞれ金属のビスで締結され固定、及び、支持されており、側板１ａ、１ｂと同様に電気的に接地された状態となっている。側板１ａ、１ｂ、ステー２はそれぞれ、上述した画像形成動作を行う部材を支持し、位置決めする。具体的には側板１ａは制御基板４を支持し、側板１ｂはモータ２０１、２０２、センサ１１５、１１６、１１７、１１８、画像処理基板１０（図９参照）をそれぞれ支持する。ステー２はスキャナユニット７を支持する。
【００４０】
次に電線６０による各部分の接続について説明する。図１１は、スキャナユニット７を図１０の奥側から手前側に向かって見た場合の斜視図である。制御基板４は電線６０が接続されるコネクタ接続部５ａが設けられている。同時に、レーザ基板７０２にはレーザ基板コネクタ部７０２ａが設けられている。コネクタ接続部５ａに電線６０の一方を、レーザ基板コネクタ部７０２ａに電線６０のもう一方を接続して、側板１ａに支持された制御基板４とレーザ基板７０２とを接続する。このため、側板１ａには電線６０を通すための穴３ａが設けられている。
【００４１】
図１２は図１０のＡ−Ａ´における断面図であり、その断面は側板１ａ、１ｂに直交な断面（感光体１０３の回転軸に平行な面）でもある。この図１２に示す様に、光学箱７０７の底面から突出して設けられた突出部である複数のリブ（当接部）７０７ａが電線６０と当接し、それにより電線６０はステー２に押し付けられ（当接させられ）ている。複数のリブ７０７ａは電線６０の長手方向に並んで配置されている。このため、電線６０のスキャナユニット７とステー２との間に位置する部分の略全域がステー２と当接する。
【００４２】
この様に複数のリブ７０７ａによって電線６０を長手方向の全面をステー２に押し付ける構成によれば、以下の理由から電磁ノイズを専用の部品を追加することなく低減することができる。一つは電線６０を用いた信号伝送における特性インピーダンスが小さくなるからである。特性インピーダンスとは√（Ｌ／Ｃ）（Ｌ：誘導成分、Ｃ：容量成分）で表される。電線６０を電気的に接地された導電性の部材であるステー２に近づけると、容量成分Ｃが大きくなり、電線６０で伝送される信号の波形が平滑され、電磁ノイズが低減される。もう一つは、電線６０を用いた信号伝送において、受信側から送信側へ戻る信号の成分に関して、電気的に接地された導電性の部材であるステー２に近い程、ステー２を介して戻る成分が増え、空気中を伝搬して戻る成分が減るからである。なお、制御基板４や画像処理基部１０の基板は側板１ａ、１ｂ、ステー２を介してアースに電気的に接続されている。
【００４３】
また、側板１ａ、１ｂ、ステー２は金属以外の電気的に接地された導電性の部材であれば良い。また、リブ７０７ａの別形態として、図１３に示すように、電線６０の長手方向に平行に伸びたリブ７０７ａを設けても良い。図１３では、リブ７０７ａは、電線６０のスキャナユニット７とステー２との間に位置する部分の略全域にわたって設けられ、電線６０のスキャナユニット７とステー２との間に位置する部分の略全域と当接する。このため、電線６０のスキャナユニット７とステー２との間に位置する部分の略全域がステー２と当接する。また、本実施形態では、リブ７０７ａにより、電線６０のスキャナユニット７とステー２との間の部分の略全域がステー２と当接している。仮に電線６０の一部がステー２から浮いても、電線６０のスキャナユニット７とステー２との間の部分の８割程度がステー２に当接していれば、十分な電磁ノイズ低減効果を得られる。
【００４４】
なお、ステー２が光学蓋７０８側に設けられている場合、リブ７０７ａを光学蓋７０８に設けても良い。また電線６０は束線でも、フレキシブルフラットケーブルでもよい。また、本実施形態の構成において電線６０を制御基板４と制御基板４に電気的に接続されるスキャナユニット７とは別の部材とを繋ぐ電線６にかえてもよい。
【００４５】
＜第４実施形態＞
次に第４実施形態について説明する。なお、先述の実施形態と同様の部分には同様の符号を付して説明は省略する。図１４は本発明の第４実施形態の画像形成装置１００の図１０のＡ−Ａ´における断面図である。この図１４に示す様に、電線６０の長手方向に並んだ複数の弾性部材７１３を介して光学箱７０７によって電線６０はステー２に押し付けられている。弾性部材７１３は発砲ウレタンフォーム製である。つまり弾性部材７１３は電線６０と当接し、電線６０をステー２に当接させる当接部である。
【００４６】
本実施形態では実施形態３と同様の効果を得られる。図１５は図１４のＤ部拡大図である。図１５に示すように、弾性部材７１３を電線６０に当接させる構成とすることで、ステー２に凹凸がある構成でも、ステー２の凹凸を弾性部材７１３の収縮によって吸収する事が出来るため、より確実に電線６０をステー２に当接させる事が出来る。
【００４７】
なお、側板１ａ、１ｂ、ステー２は金属以外の電気的に接地された導電性の部材であれば良い。また、また、弾性部材７１３の別形態として、図１６に示すように、電線６０の長手方向に平行に伸びた弾性部材７１３を設けても良い。図１６では、弾性部材７１３は、電線６０のスキャナユニット７とステー２との間に配置された部分の略全域に当接するよう設けられている。このような構成でも、電線６０のスキャナユニット７とステー２との間に位置する部分の略全域をステー２と当接させることができる。
【００４８】
このように、本実施形態では、弾性部材７１３により電線６０のスキャナユニット７とステー２との間に位置する部分の略全域がステー２とが当接している。仮に電線６０の一部がステー２から浮いても、電線６０のスキャナユニット７とステー２との間の部分の８割程度がステー２に当接していれば、十分な電磁ノイズ低減効果を得られる。また、ステーが光学蓋側に設けられた画像形成装置の場合には、弾性部材を光学蓋に設けても良い。また電線６０は束線でも、フレキシブルフラットケーブルでもよい。また、本実施形態の構成において電線６０を制御基板４と制御基板４に電気的に接続されるスキャナユニット７とは別の部材とを繋ぐ電線６にかえてもよい。
【００４９】
＜第５実施形態＞
次に第５実施形態について説明する。なお、先述の実施形態と同様の部分には同様の符号を付して説明は省略する。図１７は本発明の第５の実施形態における、スキャナユニット７の下面矢視図である。図１８は図１７のＥ１、Ｅ２部の拡大図である。図１７に示す様に、電線６０は、シート状の電線（フレキシブルフラットケーブル）である。また、電線６０の光学箱７０７とステー２との間に位置する部分に、電線６０が折り曲げられた部分が４か所設けられている。電線６０は、光学箱７０７とステー２との間で、光学箱７０７の床面から伸びた基準ピン７０７ｂ、７０７ｃ（スキャナユニット７の位置決め基準）やボス７０７ｄ（スキャナモータ７０４のビス締結部）を避けた位置に配置されている。また図１８に示すように、光学箱７０７の底面に開けられた貫通穴７０７ｅに対向する位置に電線６０が配置されている。このため、貫通穴７０７ｅを電線６０で覆い塞ぐ構成となっている。
【００５０】
本実施形態では第４実施形態と同様の効果を得られる。更に、電線６０が折り曲げられている箇所には、折り曲げる前に戻ろうとする復元力が働くため、電線６０に弾性を持たせる事が出来る。よって、実施形態２の弾性部材７１３が無くても、より確実に電線６０をステー２に当接させる事が出来る。更に、貫通穴７０７ｅを電線６０が覆っているため、貫通穴７０７ｅから光学箱７０７の内部に入る塵埃等を減らすことが出来る。そのため、粘着テープ等の部品を追加することなくスキャナユニット７の防塵性能を向上する事が出来る。
【００５１】
なお、側板１ａ、１ｂ、ステー２は金属以外の電気的に接地された導電性の部材であれば良い。また、本実施形態では電線６０が４か所で折り曲げられていたが、同様の効果を得られるなら折り曲げる回数は任意でよい。また、ステーが光学蓋側に設けられた画像形成装置の場合には、電線６０の折り曲げた部分を光学蓋とステーとの間に設けても良い。また、本実施形態の構成において電線６０を制御基板４と制御基板４に電気的に接続されるスキャナユニット７とは別の部材とを繋ぐ電線６にかえてもよい。
【符号の説明】
【００５２】
２  ステー
６  電線
７  スキャナユニット
６０  電線
１００  画像形成装置
１０３  感光体
４０１  溝部
５０１  曲げ部
５０２  曲げ部
７０１  突出部
７０７  光学箱
７０７ａ  リブ
７０８  光学蓋
７１３  弾性部材
【図１】
2015045841.tif 000003
【図２】
2015045841.tif 000004
【図３】
2015045841.tif 000005
【図４】
2015045841.tif 000006
【図５】
2015045841.tif 000007
【図６】
2015045841.tif 000008
【図７】
2015045841.tif 000009
【図８】
2015045841.tif 000010
【図９】
2015045841.tif 000011
【図１０】
2015045841.tif 000012
【図１１】
2015045841.tif 000013
【図１２】
2015045841.tif 000014
【図１３】
2015045841.tif 000015
【図１４】
2015045841.tif 000016
【図１５】
2015045841.tif 000017
【図１６】
2015045841.tif 000018
【図１７】
2015045841.tif 000019
【図１８】
2015045841.tif 000020